(57)【要約】【課題】親機と子機とからなる通信装置において、確実かつ簡単に、子機を登録したり子機の登録を解除したりすることができるようにする。【解決手段】  親機は、子機を登録する際には、子機に割り当てるための登録用番号の一覧を表示し（Ｓ１２０）、未使用の登録用番号の中から最小の登録用番号を選択し（Ｓ１３０）、その登録用番号をユーザに報知する（Ｓ１３１）。そして、ユーザの操作に基づいて、その登録用番号を使用すると決定すると（Ｓ１３３：ＹＥＳ）、その登録用番号を使用済みの登録用番号として記憶する（Ｓ１５１）。また、子機の登録を解除する際には、登録済みの子機の登録番号のうち、最大の登録番号を選択し（Ｓ１７０）、その登録番号をユーザに報知する（Ｓ１７１）。そして、ユーザの操作に基づいて、その登録番号を解除すると決定すると（Ｓ１７３：ＹＥＳ）、その登録番号を未使用の登録用番号として記憶する（Ｓ１８０）。【選択図】  図５
2006211150.tif 000002
【特許請求の範囲】
【請求項１】
親機と、該親機と無線にて接続可能な子機と、を備えた通信装置において、
前記親機は、
使用者により特定の操作がなされると、前記子機に対して割り当てるために予め用意された複数の登録用番号の中から、特定の規則に従い１つの登録用番号を選択する選択手段と、
前記選択手段により選択された登録用番号を、前記子機へ送信すると共に、その選択された登録用番号が前記子機の登録番号として使用されている旨の情報を、当該親機に備えられた親機側記憶部に記憶させる親機側登録手段と、
情報を表示するための表示手段と、
前記親機側記憶部に記憶されている情報に基づいて、複数の前記登録用番号のうち、何れが前記子機の登録番号として使用されているかを表す情報を、前記表示手段に表示させる表示制御手段とを備えていること、
を特徴とする通信装置。
【請求項２】
請求項１に記載の通信装置において、
前記選択手段は、前記子機の登録番号として使用されていない未使用の登録用番号であって、且つ、番号が最小の登録用番号を選択すること、
を特徴とする通信装置。
【請求項３】
請求項１又は請求項２に記載の通信装置において、
前記親機は、
前記選択手段により選択された登録用番号（以下、選択登録用番号という）を使用者に報知する報知手段と、
前記選択登録用番号を採用するか否かを使用者の入力に基づき決定し、採用すると決定した場合に、その選択登録用番号について前記親機側登録手段が作動するのを許可する決定手段とを備えていること、
を特徴とする通信装置。
【請求項４】
請求項１〜請求項３の何れか１項に記載の通信装置における子機であって、
使用者により特定の操作がなされると、前記親機側登録手段により送信された登録用番号を、自機の登録番号として、その子機に備えられた子機側記憶部に記憶させる子機側登録手段を備えていること、
を特徴とする子機。
【請求項５】
親機と、該親機と無線にて接続可能な子機と、を備えた通信装置において、
前記親機は、
前記子機に対して割り当てるために予め用意された複数の登録用番号について、その登録用番号が前記子機の登録番号として使用されている旨の情報を記憶する親機側記憶部と、
使用者により特定の操作がなされると、前記親機側記憶部に子機の登録番号として使用されている旨の情報が記憶されている使用済みの登録用番号の中から、特定の規則に従い１つの登録用番号を選択する選択手段と、
前記選択手段により選択された登録用番号が前記子機の登録番号として使用されている旨の情報を、前記親機側記憶部から削除する削除手段とを備えていること、
を特徴とする通信装置。
【請求項６】
請求項５に記載の通信装置において、
前記選択手段は、前記使用済みの登録用番号であって、且つ、番号が最大の登録用番号を選択すること、
を特徴とする通信装置。
【請求項７】
請求項５に記載の通信装置において、
前記選択手段は、前記使用済みの登録用番号が登録番号として使用されている子機のうち、前記親機と通信できない子機を検出する検出手段を備えると共に、その検出手段により検出された子機に対応した登録用番号を選択すること、
を特徴とする通信装置。
【請求項８】
請求項５〜請求項７の何れか１項に記載の通信装置において、
前記親機は、
前記選択手段により選択された登録用番号（以下、選択登録用番号という）を使用者に報知する報知手段と、
前記選択登録用番号を採用するか否かを使用者の入力に基づき決定し、採用すると決定した場合に、その選択登録用番号について前記削除手段が作動するのを許可する決定手段とを備えていること、
を特徴とする通信装置。
【請求項９】
親機と、該親機と無線にて接続可能な子機と、を備えた通信装置において、
前記親機は、
情報を表示するための表示手段と、
前記子機に対して割り当てるために予め用意された複数の登録用番号の一覧を前記表示手段に表示させる表示制御手段と、
前記表示手段に表示された前記登録用番号の一覧の中から、使用者の入力に基づいて１つの登録用番号を選択する選択手段と、
前記選択手段により選択された登録用番号を、前記子機へ送信すると共に、その登録用番号が前記子機の登録番号として使用されている旨の情報を、当該親機に備えられた親機側記憶部に記憶させる親機側登録手段とを備えていること、
ことを特徴とする通信装置。
【請求項１０】
請求項９に記載の通信装置において、
前記表示制御手段は、複数の前記登録用番号のうち、前記親機側記憶部に子機の登録番号として使用されている旨の情報が記憶されていない未使用の登録用番号の一覧を、前記表示手段に表示させること、
を特徴とする通信装置。
【請求項１１】
請求項９に記載の通信装置において、
前記表示制御手段は、複数の前記登録用番号のうち、前記親機側記憶部に子機の登録番号として使用されている旨の情報が記憶されている使用済みの登録用番号の一覧を、前記表示手段に表示させること、
を特徴とする通信装置。
【請求項１２】
請求項９〜請求項１１の何れか１項に記載の通信装置における子機であって、
使用者により特定の操作がなされると、前記親機側登録手段により送信された登録用番号を、自機の登録番号として、その子機に備えられた子機側記憶部に記憶させる子機側登録手段を備えていること、
を特徴とする子機。
【請求項１３】
親機と、該親機と無線にて接続可能な子機と、を備えた通信装置において、
前記親機は、
前記子機に対して割り当てるために予め用意された複数の登録用番号について、その登録用番号が前記子機の登録番号として使用されている旨の情報を記憶する親機側記憶部と、
情報を表示するための表示手段と、
前記親機側記憶部に記憶されている情報に基づいて、複数の前記登録用番号のうち、何れが前記子機の登録番号として使用されているかを表す情報を、前記表示手段に表示させる表示制御手段と、
複数の前記登録用番号のうち、前記子機の登録番号として使用されている１つの登録用番号を、使用者の入力に基づいて選択する選択手段と、
前記選択手段により選択された登録用番号が前記子機の登録番号として使用されている旨の情報を、前記親機側記憶部から削除する削除手段とを備えていること、
を特徴とする通信装置。
【請求項１４】
請求項１〜請求項３、請求項５〜請求項１１、及び請求項１３の何れか１項に記載の通信装置を構成する親機。
【請求項１５】
コンピュータを、請求項１又は請求項２に記載の選択手段、親機側登録手段、及び表示制御手段として機能させる制御プログラム。
【請求項１６】
請求項１５に記載の制御プログラムにおいて、
コンピュータを、更に請求項３に記載の報知手段及び決定手段としても機能させること、を特徴とする制御プログラム。
【請求項１７】
コンピュータを、請求項４に記載の子機側登録手段として機能させる制御プログラム。
【請求項１８】
コンピュータを、請求項５〜請求項７の何れか１項に記載の選択手段、及び削除手段として機能させる制御プログラム。
【請求項１９】
請求項１８に記載の制御プログラムにおいて、
コンピュータを、更に請求項８に記載の報知手段及び決定手段としても機能させること、を特徴とする制御プログラム。
【請求項２０】
コンピュータを、請求項９〜請求項１１の何れか１項に記載の表示制御手段、選択手段、及び親機側登録手段として機能させる制御プログラム。
【請求項２１】
コンピュータを、請求項１２に記載の子機側登録手段として機能させる制御プログラム。
【請求項２２】
コンピュータを、請求項１３に記載の表示制御手段、選択手段、及び削除手段として機能させる制御プログラム。
【発明の詳細な説明】
【技術分野】
【０００１】
本発明は、親機と、それに接続可能な子機とを備える通信装置に関する。
【背景技術】
【０００２】
従来、親機と子機とからなる通信装置として代表的なものに、いわゆるコードレス親子電話機がある。このコードレス親子電話機では、公衆電話回線に接続される親機と、この親機と無線にて接続されることにより親機と同様に通話することのできる子機が付属されており、新たに子機を増設する場合、親機及び増設する子機に対して所定の入力操作を行うことによって、増設される子機を親機に登録することができる（例えば特許文献１等参照）。
【０００３】
ところで、増設される子機を親機に登録する場合、使用者により、親機及び子機が例えばともに増設モードといったような特殊モードに切り替えられると、親機から子機に登録コマンドが送信される。そして、その登録コマンドを受信した子機は、使用者から登録番号の入力を受け付ける入力待機状態となり、使用者より登録番号が入力されると、その登録番号を自機の登録番号として記憶する。また、親機側では、その登録番号がその子機の登録番号として記憶される。以上により、子機が増設されることになる。
【特許文献１】特開平１ー２１８２２３号公報
【発明の開示】
【発明が解決しようとする課題】
【０００４】
しかしながら、上述したような従来の方法では、ユーザが子機の登録番号を直接入力する必要があることから、子機を登録する際に、ユーザが既に使用されている登録番号を入力してしまったり、或いは登録番号として使用できない全く関係のない番号を入力してしまったりという、様々な入力ミスが発生するという問題があった。このような入力ミスがあると、ユーザは、子機の登録操作に手間取ってしまう。
【０００５】
一方、子機の登録を解除する場合にも、ユーザが未使用の登録番号を入力してしまったり、或いは全く関係のない番号を入力してしまったりという、様々な入力ミスが発生することが考えられ、その場合ユーザは、解除操作に手間取ってしまう。
【０００６】
本発明は、こうした問題に鑑みなされたもので、入力ミスを防止して、確実かつ簡単に子機を親機に登録したり、或いは登録された子機を解除したりすることのできる通信装置を提供することを目的とする。
【課題を解決するための手段】
【０００７】
係る目的を達成するためのなされた請求項１に記載の通信装置は、親機と、該親機と無線にて接続可能な子機と、を備えた通信装置において、
前記親機は、
使用者により特定の操作がなされると、前記子機に対して割り当てるために予め用意された複数の登録用番号の中から、特定の規則に従い１つの登録用番号を選択する選択手段と、
前記選択手段により選択された登録用番号を、前記子機へ送信すると共に、その選択された登録用番号が前記子機の登録番号として使用されている旨の情報を、当該親機に備えられた親機側記憶部に記憶させる親機側登録手段と、
情報を表示するための表示手段と、
前記親機側記憶部に記憶されている情報に基づいて、複数の前記登録用番号のうち、何れが前記子機の登録番号として使用されているかを表す情報を、前記表示手段に表示させる表示制御手段とを備えていること、
を特徴とする。
【０００８】
この請求項１に記載の通信装置によれば、子機を登録する際には、親機が子機に割り当てる登録用番号を自動的に選択してその子機の登録番号とする。
よって、使用者が登録用番号として使用できない全く関係ない番号を入力してしまうというような入力ミスの発生を防止することができる。また、使用者は、登録用番号を選択する手間が省けるので、簡単に子機を登録することができる。
【０００９】
また、この請求項１に記載の通信装置によれば、親機は、複数の登録用番号のうち、どの登録用番号が使用されているか表す情報を表示手段に表示する。
よって、使用者は、登録用番号の使用状況、言い換えると、子機の登録状況を簡単に把握することができ、使い勝手がよい。
【００１０】
次に、請求項２に記載の発明は、請求項１に記載の通信装置において、前記選択手段は、前記子機の登録番号として使用されていない未使用の登録用番号であって、且つ、番号が最小の登録用番号を選択すること、
を特徴とする。
【００１１】
この請求項２に記載の通信装置によれば、親機は、未使用の登録用番号のうち、番号が最小のものを自動的に選択して登録する子機の登録番号とするので、ユーザにとっては分かりやすく使い勝手がよい。
【００１２】
次に、請求項３に記載の発明は、請求項１又は請求項２に記載の通信装置において、前記親機は、
前記選択手段により選択された登録用番号（以下、選択登録用番号という）を使用者に報知する報知手段と、
前記選択登録用番号を採用するか否かを使用者の入力に基づき決定し、採用すると決定した場合に、その選択登録用番号について前記親機側登録手段が作動するのを許可する決定手段とを備えていること、
を特徴とする。
【００１３】
この請求項３に記載の通信装置によれば、使用者は、親機が自動的に選択した登録用番号を確認した上で実際に使用するか否かを決めることができる（換言すれば、自動的に選択された登録用番号が気に入らなければ、キャンセルすることができる）ので、使用者にとっては使い勝手がよい。
【００１４】
次に、請求項４に記載の子機は、請求項１〜請求項３の何れか１項に記載の通信装置における子機であって、
使用者により特定の操作がなされると、前記親機側登録手段により送信された登録用番号を、自機の登録番号として、その子機に備えられた子機側記憶部に記憶させる子機側登録手段を備えていること、
を特徴とする。
【００１５】
よって、この請求項４に記載の発明によれば、例えば登録され得る子機が複数存在していても、使用者は、使用者が登録させるべく操作した子機を選択的に登録することができる。
【００１６】
次に、請求項５に記載の通信装置は、親機と、該親機と無線にて接続可能な子機と、を備えた通信装置において、
前記親機は、
前記子機に対して割り当てるために予め用意された複数の登録用番号について、その登録用番号が前記子機の登録番号として使用されている旨の情報を記憶する親機側記憶部と、
使用者により特定の操作がなされると、前記親機側記憶部に子機の登録番号として使用されている旨の情報が記憶されている使用済みの登録用番号の中から、特定の規則に従い１つの登録用番号を選択する選択手段と、
前記選択手段により選択された登録用番号が前記子機の登録番号として使用されている旨の情報を、前記親機側記憶部から削除する削除手段とを備えていること、
を特徴とする。
【００１７】
この請求項５に記載の通信装置によれば、子機の登録を解除する際には、親機が登録済みの子機に割り当てられている使用済みの登録用番号のうちの１つを自動で選択する。
よって、使用者が未使用の登録用番号を入力してしまったり、或いは登録用番号でない全く関係のない番号を入力してしまったりする、というような入力ミスの発生を防止することができる。また、使用者は、登録番号（使用済みの登録用番号）を選択する手間が省けるので、簡単に子機の登録を解除することができる。
【００１８】
次に、請求項６に記載の発明は、請求項５に記載の通信装置において、前記選択手段は、前記使用済みの登録用番号であって、且つ、番号が最大の登録用番号を選択すること、
を特徴とする。
【００１９】
この請求項６に記載の通信装置によれば、親機は、子機に割り当てられている使用済みの登録用番号のうち、最大の登録用番号を選択するので、使用者にとっては分かりやすく、使い勝手がよい。
【００２０】
次に、請求項７に記載の発明は、請求項５に記載の通信装置において、前記選択手段は、前記使用済みの登録用番号が登録番号として使用されている子機のうち、前記親機と通信できない子機を検出する検出手段を備えると共に、その検出手段により検出された子機に対応した登録用番号を選択すること、
を特徴とする。
【００２１】
この請求項７に記載の通信装置によれば、親機は、この親機と通信ができない子機に対応する登録番号を選択することから、通信ができない、つまり使用できない子機の登録を解除することになる。
【００２２】
よって、より合理的に子機の登録を解除することができ、使い勝手がよい。
次に、請求項８に記載の発明は、請求項５〜請求項７の何れか１項に記載の通信装置において、前記親機は、
前記選択手段により選択された登録用番号（以下、選択登録用番号という）を使用者に報知する報知手段と、
前記選択登録用番号を採用するか否かを使用者の入力に基づき決定し、採用すると決定した場合に、その選択登録番号について前記削除手段が作動するのを許可する決定手段とを備えていること、
を特徴とする。
【００２３】
この請求項８に記載の通信装置によれば、使用者は、親機が自動的に選択した使用済みの登録用番号の登録を解除するか否かを決めることができる（換言すれば、自動的に選択された子機に対する登録の解除が気に入らなければ、キャンセルすることができる）ので、使用者にとっては使い勝手がよい。
【００２４】
次に、請求項９に記載の通信装置は、親機と、該親機と無線にて接続可能な子機と、を備えた通信装置において、
前記親機は、
情報を表示するための表示手段と、
前記子機に対して割り当てるために予め用意された複数の登録用番号の一覧を前記表示手段に表示させる表示制御手段と、
前記表示手段に表示された前記登録用番号の一覧の中から、使用者の入力に基づいて１つの登録用番号を選択する選択手段と、
前記選択手段により選択された登録用番号を、前記子機へ送信すると共に、その登録用番号が前記子機の登録番号として使用されている旨の情報を、当該親機に備えられた親機側記憶部に記憶させる親機側登録手段とを備えていること、
を特徴とする。
【００２５】
この請求項９に記載の通信装置によれば、親機は、子機を登録する際に子機の登録番号の候補である登録用番号の一覧を表示手段に表示し、その中から使用者の入力に基づいて使用する登録用番号を選択する。
【００２６】
よって、使用者が登録番号として使用できない全く関係のない番号を入力してしまうというような入力ミスの発生を防止することができる。また、使用者は自分の好きな番号を選択できるので使い勝手がよい。
【００２７】
次に、請求項１０に記載の発明は、請求項９に記載の通信装置において、前記表示制御手段は、複数の前記登録用番号のうち、前記親機側記憶部に子機の登録番号として使用されている旨の情報が記憶されていない未使用の登録用番号の一覧を、前記表示手段に表示させること、
を特徴とする。
【００２８】
この請求項１０に記載の通信装置によれば、親機は、使用者の入力に基づいて未使用の登録用番号の中の１つを子機の登録番号として選択する。
よって、使用者が既に使用されている登録用番号を入力してしまうというような入力ミスの発生を防止することができる。
【００２９】
次に、請求項１１に記載の発明は、請求項９に記載の通信装置において、前記表示制御手段は、複数の前記登録用番号のうち、前記親機側記憶部に子機の登録番号として使用されている旨の情報が記憶されている使用済みの登録用番号の一覧を、前記表示手段に表示させること、
を特徴とする。
【００３０】
この請求項１１に記載の通信装置によれば、親機は、使用者の入力に基づいて登録番号として既に使用されている登録用番号の中の１つを、新たに子機に割り当てる登録用番号として選択する。このような構成によると、使用者が子機の登録の際にあえて使用済みの登録用番号を選択したい場合、例えば、新たに登録しようとする子機を、既に使用している子機と置き換えて登録したいという場合に、その操作が簡単にできるので、使い勝手がよい。
【００３１】
次に、請求項１２に記載の子機は、請求項９〜請求項１１の何れか１項に記載の通信装置における子機であって、使用者により特定の操作がなされると、前記親機側登録手段により送信された登録用番号を、自機の登録番号として、その子機に備えられた子機側記憶部に記憶させる子機側登録手段を備えていること、
を特徴とする。
【００３２】
よって、この請求項１２に記載の発明によれば、例えば登録され得る子機が複数存在していても、使用者は、使用者が登録させるべく操作した子機を選択的に登録することができる。
【００３３】
次に、請求項１３に記載の通信装置は、親機と、該親機と無線にて接続可能な子機と、を備えた通信装置において、
前記親機は、
前記子機に対して割り当てるために予め用意された複数の登録用番号について、その登録用番号が前記子機の登録番号として使用されている旨の情報を記憶する親機側記憶部と、
情報を表示するための表示手段と、
前記親機側記憶部に記憶されている情報に基づいて、複数の前記登録用番号のうち、何れが前記子機の登録番号として使用されているかを表す情報を、前記表示手段に表示させる表示制御手段と、
複数の前記登録用番号のうち、前記子機の登録番号として使用されている１つの登録用番号を、使用者の入力に基づいて選択する選択手段と、
前記選択手段により選択された登録用番号が前記子機の登録番号として使用されている旨の情報を、前記親機側記憶部から削除する削除手段とを備えていること、
を特徴とする。
【００３４】
この請求項１３に記載の通信装置によれば、親機は、子機の登録を解除する際に使用者の入力に基づいて、使用済みの登録用番号（つまり、登録番号）の中から登録を解除する登録番号を選択する。
【００３５】
よって、使用者が未使用の登録用番号を入力してしまうというような入力ミスの発生を防止することができる。また、使用者は自分の好きな番号を選択できるので使い勝手がよい。
【００３６】
次に、請求項１４に記載の発明は、請求項１〜請求項３、請求項５〜請求項１１、及び請求項１３の何れか１項に記載の通信装置を構成する親機である。この親機を通信装置に用いれば、請求項１〜請求項３、請求項５〜請求項１１、及び請求項１３について述べた効果を得ることができる。
【００３７】
次に、請求項１５に記載の制御プログラムは、コンピュータを、請求項１又は請求項２に記載の選択手段、親機側登録手段、及び表示制御手段として機能させることを特徴とする。この制御プログラムを用いれば、請求項１又は請求項２の通信装置における親機を得ることができる。
【００３８】
次に、請求項１６に記載の発明は、請求項１５に記載の制御プログラムにおいて、コンピュータを、更に請求項３に記載の報知手段及び決定手段としても機能させること、を特徴とする。この制御プログラムを用いれば、請求項３の通信装置における親機を得ることができる。
【００３９】
次に、請求項１７に記載の制御プログラムは、コンピュータを、請求項４に記載の子機側登録手段として機能させることを特徴とする。この制御プログラムを用いれば、請求項４の通信装置における子機を得ることができる。
【００４０】
次に、請求項１８に記載の制御プログラムは、コンピュータを、請求項５〜請求項７の何れか１項に記載の選択手段、及び削除手段として機能させることを特徴とする。この制御プログラムを用いれば、請求項５〜請求項７の通信装置における親機を得ることができる。
【００４１】
次に、請求項１９に記載の発明は、請求項１８に記載の制御プログラムにおいて、コンピュータを、更に請求項８に記載の報知手段及び決定手段としても機能させること、を特徴とする。この制御プログラムを用いれば、請求項８の通信装置における親機を得ることができる。
【００４２】
次に、請求項２０に記載の制御プログラムは、コンピュータを、請求項９〜請求項１１の何れか１項に記載の表示制御手段、選択手段、及び親機側登録手段として機能させることを特徴とする。この制御プログラムを用いれば、請求項９〜請求項１１の通信装置における親機を得ることができる。
【００４３】
次に、請求項２１に記載の制御プログラムは、コンピュータを、請求項１２に記載の子機側登録手段として機能させることを特徴とする。この制御プログラムを用いれば、請求項１２の通信装置における子機を得ることができる。
【００４４】
次に、請求項２２に記載の制御プログラムは、コンピュータを、請求項１３に記載の表示制御手段、選択手段、及び削除手段として機能させることを特徴とする。この制御プログラムを用いれば、請求項１３の通信装置における親機を得ることができる。
【発明を実施するための最良の形態】
【００４５】
以下に、本発明の実施形態を図面を用いて説明する。
［第１実施形態］
図１はコードレス親子電話機１の外観を表す斜視図、図２（ａ）は子機５０の背面を表す斜視図、図２（ｂ）は充電台の斜視図である。
【００４６】
コードレス親子電話機１は、図１に示すように、電話回線１００（図３参照）に接続される親機１０と、無線回線で親機１０と通信を行う子機５０と、外部の交流電源９０（図４参照）に接続され、子機５０を着脱可能に載置し、載置された子機５０を所定の電圧で充電するための充電台８０とから構成されている。
【００４７】
これらのうち親機１０には、その親機本体ケース１１の側部に、親機１０本体から取り外した状態で使用する送受話器であるハンドセット１２が取り付けられている。さらに、親機本体ケース１１の上面には、各種情報を表示するための表示手段としての表示パネル１３と、相手側の電話番号を入力するためのダイヤルボタン１４ａ、留守番電話メッセージ等を再生するときに操作される再生ボタン１４ｂ、留守番電話メッセージや入力した電話番号等を消去するときに操作される消去ボタン１４ｃ、操作を途中で終了するときに操作される停止ボタン１４ｄ、表示パネル１３に表示されるメニュー画面等で選択するときに操作される選択ボタン１４ｅ、及び入力した電話番号等を確定させるときに操作される確定ボタン１４ｆなどの各種操作ボタンが備えられている。
【００４８】
なお、表示パネル１３は、表示画面をその背面から照らすバックライト付の液晶ディスプレイ（ＬＣＤ）である。
また、子機５０には、ハンドセットの形状をした子機本体ケース５１の表面上に、各種情報を表示するための表示パネル５３と、相手側の電話番号を入力するためのダイヤルボタン５４ａ、外線通話を開始するときに操作される外線通話ボタン５４ｂ、通話を終了するときや操作を途中で終了するときに操作される停止ボタン５４ｃ、及び表示パネル５３に表示されるメニュー画面等で選択するときに操作される選択ボタン５４ｄなどの各種操作ボタンと、子機５０全体に電源を供給するバッテリー６７（図４参照）を充電台８０から充電するための充電用端子５５（図２（ａ）参照）とが備えられている。
【００４９】
なお、表示パネル５３は、表示画面をその背面から照らすバックライト付の液晶ディスプレイ（ＬＣＤ）である。
また、充電台８０は、図２（ｂ）に示すように、子機５０を着脱可能に載置する載置用凹部８１ａが形成された充電台本体８１と、載置用凹部８１ａ内に設けられ、子機５０が載置用凹部８１ａ内に載置されると子機５０の充電用端子５５に接触する充電用端子８２とから構成されている。
【００５０】
次に、図３は、親機１０の構成を表すブロック図である。
図３に示すように、親機１０は、各種プログラムに従い動作するＣＰＵ３１と、このＣＰＵ３１に各種処理を実行させるためのプログラムや固定データが予め格納されるＲＯＭ３２と、ＣＰＵ３１による演算結果を一時記憶するためのＲＡＭ３３と、各種データを書き換え可能に記憶するための親機側記憶部としてのＥＥＰＲＯＭ３４と、親機１０を電話回線１００と接続するためのＭＯＤＥＭ３５と、電話回線１００とＭＯＤＥＭ３５との間において伝送される音声信号を入出力するＮＣＵ３６と、アンテナ１５に接続され、子機５０との間で音声信号を含めた各種信号を無線通信により送受信する無線送受信部２５と、スピーカー１６に接続され、このスピーカー１６から音を出力させるためのメロディ・音声発生部２６と、前述した表示パネル１３と、各種操作ボタン１４（ａ、ｂ、ｃ、ｄ、ｅ、ｆ）等からなる操作部２４と、画像データ等を読み取るための読取部２７と、この読み取った画像データ等を用紙等に記録するための記録部２８と、それらを相互に接続するシステムバス３０とを備えている。
【００５１】
さらに、無線送受信部２５及びＮＣＵ３６には、通話をするための送話器２１と、受話器２２とからなるハンドセット１２が接続されている。
次に、図４は、子機５０の構成を表すブロック図である。
【００５２】
図４に示すように、子機５０は、各種プログラムに従い動作するＣＰＵ７１と、このＣＰＵ７１に各種処理を実行させるためのプログラムや固定データが予め格納されるＲＯＭ７２と、ＣＰＵ７１による演算結果を一時記憶するためのＲＡＭ７３と、各種データを書き換え可能に記憶するための子機側記憶部としてのＥＥＰＲＯＭ７４と、バッテリー６７に接続され、このバッテリー６７を充電するための充電回路７５と、アンテナに接続され、親機１０との間で音声信号を含めた各種信号を無線通信により送受信する無線送受信部６５と、スピーカー５６に接続され、このスピーカー５６から音を出力させるためのメロディ・音声発生部６６と、前述した表示パネル５３と、各種操作ボタン５４（ａ、ｂ、ｃ、ｄ）等からなる操作部６４と、それらを相互に接続するシステムバス７０とを備えている。
【００５３】
さらに、無線送受信部６５には、通話をするための送話器６１と、受話器６２とが接続されている。また、充電回路７５には、充電台８０を介して外部の交流電源９０が接続可能なように構成されている。
【００５４】
このように構成されたコードレス親子電話機１において、親機１０は、電話回線１００を介して外部の相手側通信端末との間で外線通話が可能であるとともに、子機５０との間で内線通話が可能である。そして、ユーザは、親機１０及び子機５０に所定の入力操作を行うことにより、親機１０に子機５０を登録したり（つまり、相互に内線通話を可能にしたり）、或いは子機５０の登録を解除したりすることができる。以下に、その登録或いは登録解除の際に親機１０及び子機５０において実行される処理について詳しく説明する。
【００５５】
まず、図５は、親機１０のＣＰＵ３１が実行する子機５０の登録及び登録解除処理（以下、増設処理と言う）を表すフローチャートである。
通常の状態では、親機１０は、発信先の電話番号の入力等を受け付ける待機状態となっており、この親機１０が、ユーザにより、前述した各種操作ボタンのうちモードを切り替えるボタンが操作され増設モードに設定されると、この増設処理が開始される。なお、待機状態では、図６（ａ）に例示するように、日付、曜日、及び時間等の情報が表示パネル１３に表示される。
【００５６】
この増設処理においては、まず、Ｓ１１０にて、親機１０における子機５０の登録状況、言い換えると、親機１０において、子機５０を登録する際に用いられる登録用番号（本実施例では、１〜４の整数）のうち、どの登録用番号が子機５０に対して割り当てられているか、つまり使用されているかを、ＥＥＰＲＯＭ３４より読み出す。次に、Ｓ１１１へ移行し、ＥＥＰＲＯＭ３４より読み出した子機５０の登録状況に関する情報に基づいて、親機１０に現在登録されている子機５０の台数Ｌを算出する。なお、ここで、算出結果は一旦ＲＡＭ３３に記憶される。
【００５７】
そして、続くＳ１２０にて、図６（ｂ１）或いは（ｂ２）に例示するように、子機５０の登録状況を表示パネル１３に一覧表示させる。つまり、表示パネル１３において、現在の動作モードを表すモード名である「子機増設モード」を表示させるとともに、その下に、登録済みの子機５０に対応する使用済みの登録用番号の一覧を表示させる。
【００５８】
なお、図６（ｂ１）は、子機５０の登録台数Ｌが１の場合（登録用番号１のみが登録番号として使用済みの場合）であり、項目名である「登録子機」とともに、その横に「１」を表示させる。また、図６（ｂ２）は、子機５０の登録台数Ｌが２の場合（登録用番号１及び２が登録番号として使用済みの場合）であり、項目名である「登録子機」とともに、その横に「１」及び「２」を表示させる。そして、未使用の登録用番号に関しては、その登録用番号を表示させるのではなく簡易的に横線で表示させ、これによりさらに子機５０を追加して登録可能であることをユーザが認識できるようになっている。
【００５９】
次に、Ｓ１２１へ移行し、ユーザにより、操作を中止する停止ボタン１４ｄが押されたか否かを判定する。停止ボタン１４ｄが押されたと判定すると、そのまま当該増設処理を終了する。一方、Ｓ１２１にて、ユーザにより停止ボタン１４ｄが押されていないと判定すると、次にＳ１２２へ移行し、子機５０の登録を解除するフローへ移行するための消去ボタン１４ｃが押されたか否かを判定する。ここで、消去ボタン１４ｃが押されていないと判定すると、次に、Ｓ１２３へ移行する。
【００６０】
Ｓ１２３では、子機５０の登録を行うフローへ移行するための確定ボタン１４ｆが押されたか否かを判定する。確定ボタン１４ｆが押されていないと判定すると、再びＳ１２１へ戻る。一方、Ｓ１２３にて、ユーザにより確定ボタン１４ｆが押されたと判定すると、次にＳ１３０へ移行する。
【００６１】
Ｓ１３０では、Ｓ１１１で算出した登録済みの子機５０の台数Ｌを表す数字に１を足したもの、すなわち未使用の登録用番号のうち最小の登録用番号を、新たに登録する子機５０に割り当てる登録用番号（登録子機番号とも言う）Ｍとして算出する。そして、次に、Ｓ１３１へ移行し、図６（ｃ）に例示するように、その登録用番号Ｍを表示パネル１３に表示させる。なお、図６（ｃ）は既に登録されている子機５０が１台の場合（つまり、Ｌ＝１の場合）の表示内容を表しており、この場合には、子機５０の「登録番号」として使用される登録用番号である「２」を表示させる。
【００６２】
なお、Ｓ１３０にて、新たに子機５０に割り当てる登録用番号Ｍを、例えばＭ＝１と仮決定し、この仮決定した番号１がすでに登録番号として使用されていれば、さらにＭに１を足した番号、つまりＭ＝２として順次仮決定していくようにし、仮決定した登録用番号が未使用であればそれを登録用番号Ｍとして算出するようにしてもよい。このようにすると、例えば１及び３が登録番号として使用されている時は、２（未使用の登録用番号のうち最小の登録用番号）が登録用番号Ｍとして選択されることになる。
【００６３】
次に、Ｓ１３２へ移行し、ユーザにより、停止ボタン１４ｄが押されたか否かを判定する。停止ボタン１４ｄが押されたと判定すると、再びＳ１２０へ戻る。一方、Ｓ１３２にて、ユーザにより停止ボタン１４ｄが押されていないと判定すると、次に、Ｓ１３３へ移行し、子機５０の登録を確定させる確定ボタン１４ｆが押されたか否かを判定する。確定ボタン１４ｆが押されていないと判定すると、再びＳ１３２へ戻る。一方、Ｓ１３３にて、ユーザにより確定ボタン１４ｆが押されたと判定すると、次に、Ｓ１４０へ移行する。
【００６４】
Ｓ１４０では、登録用番号を記憶することを命令する登録コマンドを子機５０に送信する。なお、登録コマンドには、Ｓ１３０にて算出した登録用番号Ｍを表す情報が付加される。
【００６５】
次に、Ｓ１４１へ移行し、応答コマンドを受信したか否かを判定する。なお、この応答コマンドは、後述する図７のＳ９４０で、登録コマンドに応答して子機５０から送信されるものである。ここで、応答コマンドを受信していないと判定すると、次に、Ｓ１６０へ移行し、図６（ｅ）に例示するように、登録が失敗した旨のメッセージを表示パネル１３に表示させる。その後、再びＳ１１０へ戻る。一方、Ｓ１４１にて、応答コマンドを受信したと判定すると、次に、Ｓ１５０へ移行する。
【００６６】
Ｓ１５０では、応答コマンドを受信したことを表す確認コマンドを、子機５０に送信する。そして、次にＳ１５１へ移行し、新たに子機５０に割り当てた登録用番号を使用済みの登録用番号、つまり登録番号としてＥＥＰＲＯＭ３４に更新記憶させる。そして、続くＳ１５２にて、図６（ｄ）に例示するように、その登録番号とともに登録が完了した旨のメッセージを表示パネル１３に表示させる。その後、再びＳ１１０へ戻る。
【００６７】
また、Ｓ１２２にて、ユーザにより消去ボタン１４ｃが押されたと判定すると、次にＳ１７０へ移行し、Ｓ１１１にて算出した登録済みの子機５０の台数Ｌを表す数字、すなわち、使用済みの登録用番号（つまり、登録番号）のうちの最大の登録用番号を、登録を解除する登録番号Ｎとして算出する。言い換えると、登録済みの子機５０の中で登録番号が最大のものを、登録解除の対象とする。そして、次にＳ１７１へ移行し、図６（ｆ）に例示するように、その登録番号を表示パネル１３に表示させる。なお、図６（ｆ）は、既に登録されてい子機５０が２台の場合（つまり、Ｌ＝２の場合）の表示内容を表しており、この場合には、登録を解除する「削除番号」として、登録番号の「２」を表示させる。
【００６８】
次に、Ｓ１７２にて、ユーザにより停止ボタン１４ｄが押されたか否かを判定する。停止ボタン１４ｄが押されたと判定すると、再びＳ１２０へ戻る。一方、Ｓ１７２にて、ユーザにより停止ボタン１４ｄが押されていないと判定すると、次にＳ１７３へ移行し、子機５０の登録解除を確定させる確定ボタン１４ｆが押されたか否かを判定する。確定ボタン１４ｆが押されていないと判定すると、再びＳ１７２へ戻る。一方、Ｓ１７３にて、ユーザにより確定ボタン１４ｆが押されたと判定すると、次に、Ｓ１８０へ移行する。
【００６９】
Ｓ１８０では、登録を解除する子機５０に対応する登録番号を、未使用の登録用番号としてＥＥＰＲＯＭ３４に更新記憶させる。そして、続くＳ１８１にて、図６（ｇ）に例示するように、その登録用番号とともに登録解除が完了した旨のメッセージを表示パネル１３に表示させる。その後、再びＳ１１０へ戻る。
【００７０】
次に、図７は、子機５０のＣＰＵ７１が実行する増設処理を表すフローチャートである。
通常の状態では、子機５０は、発信先の電話番号の入力等を受け付ける待機状態となっており、この子機５０が、ユーザにより、前述した各種操作ボタンのうちモードを切り替えるボタンが操作され増設モードに設定されると、この増設処理が開始される。なお、待機状態では、図８（ａ）に例示するように、その子機５０の登録番号、曜日、時間、及び充電中である旨を表すメッセージ等の情報が表示パネル１３に表示される。
【００７１】
この増設処理においては、まずＳ９１０にて、図８（ｂ）に例示するように、表示パネル５３に子機５０の動作モードが増設モードである旨のメッセージを表示させる。
次に、Ｓ９１１へ移行し、ユーザにより、操作を中止させる停止ボタン５４ｃが押されたか否かを判定する。停止ボタン５４ｃが押されたと判定すると、そのまま当該増設処理を終了する。一方、Ｓ９１１にて、ユーザにより停止ボタン５４ｃが押されていないと判定すると、次にＳ９１２へ移行する。
【００７２】
Ｓ９１２では、登録コマンドを受信したか否かを判定する。なお、この登録コマンドは、前述した図５のＳ１４０で親機１０より送信されるものであり、登録コマンドが指定する登録用番号を、その子機５０の登録番号として記憶するよう子機５０に命令するものである。Ｓ９１２にて、登録コマンドを受信していないと判定すると、次に、Ｓ９１３へ移行し、子機５０が前述したように増設モードに設定されてから、予め設定された所定時間を経過したか否かを判定する。ここで、所定時間経過したと判定すると、そのまま当該増設処理を終了する。一方、Ｓ９１３にて、所定時間経過していないと判定すると、再びＳ９１１へ戻る。
【００７３】
また、Ｓ９１２にて、登録コマンドを受信したと判定すると、次に、Ｓ９２０へ移行し、図８（ｃ）に例示するように、ユーザにその子機５０の登録用番号を入力させるための番号入力案内を表示パネル５３に表示させる。つまり、動作モードが増設モードである旨のメッセージと、登録用番号（登録コマンドが指定する登録用番号）の入力を促すメッセージを表示させる。
【００７４】
次に、Ｓ９２１へ移行し、ユーザによりダイヤルボタン５４ａが押されたか否か、つまり番号が入力された否かを判定する。ダイヤルボタン５４ａが押されていないと判定すると、次にＳ９２２へ移行し、予め設定された所定時間を経過したか否かを判定する。ここで、所定時間経過したと判定すると、そのまま当該増設処理を終了する。一方、Ｓ９２２にて、所定時間経過していないと判定すると、再びＳ９２１へ戻る。
【００７５】
また、Ｓ９２１にて、ユーザによりダイヤルボタン５４ａが押されたと判定すると、次にＳ９３０へ移行する。
Ｓ９３０では、Ｓ９２１にてユーザがダイヤルボタン５４ａを押すことにより入力された番号が、親機１０より登録コマンドとともに送信された登録用番号と一致するか否かを判定する。一致しないと判定すると、そのまま当該増設処理を終了する。一方、Ｓ９３０にて、番号が一致すると判定すると、次にＳ９４０へ移行し、親機１０に応答コマンドを送信する。
【００７６】
続くＳ９４１では、確認コマンドを受信したか否かを判定する。なお、この確認コマンドは、前述した図５のＳ１５０で、親機１０より送信されるものである。この確認コマンドを受信していないと判定すると、次にＳ９４２へ移行し、予め設定された所定時間を経過したか否かを判定する。ここで、所定時間経過したと判定すると、そのまま当該増設処理を終了する。一方、Ｓ９４２にて、所定時間経過していないと判定すると、再びＳ９４１へ戻る。
【００７７】
また、Ｓ９４１にて、確認コマンドを受信したと判定すると、次にＳ９５０へ移行し、親機１０より送信された登録用番号を、その子機５０の登録番号としてＥＥＰＲＯＭ７４に更新記憶させる。すなわち、子機５０を親機１０に対して登録することになる。
【００７８】
次に、Ｓ９６０へ移行し、図８（ｄ）に例示するように、登録が完了した旨のメッセージと登録番号とを表示パネル５３に表示させる。その後、当該増設処理を終了する。
なお、本実施形態では、図５の処理のうち、Ｓ１２０が請求項１の表示制御手段に相当し、Ｓ１３０が請求項２の選択手段に相当し、Ｓ１３１が請求項３の報知手段に相当し、Ｓ１３２及びＳ１３３が請求項３の決定手段に相当し、Ｓ１５１が請求項１の親機側登録手段に相当し、Ｓ１７０が請求項６の選択手段に相当し、Ｓ１７１が請求項８の報知手段に相当し、Ｓ１７２及びＳ１７３が請求項８の決定手段に相当し、Ｓ１８０が請求項５の削除手段に相当している。また、図７の処理のうち、Ｓ９５０が請求項４及び請求項１２の子機側登録手段に相当している。
【００７９】
以上説明したように、本実施形態のコードレス親子電話機１では、親機１０は、子機５０を登録する際には、未使用の登録用番号のうち最小の登録用番号を、その子機５０に割り当てる登録用番号として自動的に選択する。また、親機１０は、子機５０の登録を解除する際には、登録済みの子機５０のうち、登録番号が最大の子機５０を、登録解除の対象として自動的に選択する（言い換えると、登録番号の中から最大のものを自動的に選択する）。
【００８０】
よって、ユーザが子機５０の登録の際に使用済みの登録用番号を入力してしまったり、或いは登録解除の際に未使用の登録用番号を入力してしまったりするというような入力ミスの発生を防止することができる。また、子機５０の登録の際には未使用の登録用番号のうち最小のものが選択され、登録解除の際には最大の登録番号が選択されるので、ユーザにとっては分かりやすく使い勝手がよい。
【００８１】
また、本実施形態では、親機１０は、上記のように親機１０が自動で選択した登録用番号或いは登録番号を採用するか否かを、ユーザの選択に基づき決定する。よって、ユーザは親機１０によって選択されたそれらの番号をキャンセルすることもでき、ユーザにとっては使い勝手がよい。また、ユーザは親機１０が選択した登録用番号或いは登録番号を採用するか否かを選択するだけでよく、登録用番号或いは登録番号を選択する必要がないので、簡単に子機５０を登録或いは登録解除できる。
【００８２】
また、本実施形態では、親機１０は、登録用番号の使用状況、言い換えると、子機５０の登録状況を表示パネル１３に一覧表示する。よって、ユーザにとっては分かりやすく、使い勝手がよい。
［第２実施形態］
次に、第２実施形態のコードレス親子電話機１について説明する。第２実施形態のコードレス親子電話機は、第１実施形態と比較すると、ハードの構成は同じであり、以下の説明において同一の符号を使用する。また、子機５０のＣＰＵ７１が実行する増設処理も同一である（以降の実施形態についても同様とする）。
【００８３】
本実施形態では、親機１０のＣＰＵ１０は、図５の増設処理に代えて図９の増設処理を実行する。
以下、この増設処理を、図９のフローチャートに沿って説明する。
【００８４】
通常の状態では、親機１０は、発信先の電話番号の入力等を受け付ける待機状態となっており（図６（ａ）参照）、親機１０が、ユーザにより、前述した各種操作ボタンのうちモードを切り替えるボタンが操作され増設モードに設定されると、この増設処理が開始される。
【００８５】
この増設処理においては、まず、Ｓ２１０にて、親機１０における子機５０の登録状況、言い換えると、親機１０において、子機５０を登録する際に用いられる登録用番号のうち、どの登録用番号が子機５０に対して割り当てられているか、つまり使用されているかを、ＥＥＰＲＯＭ３４より読み出す。
【００８６】
そして、図１０に例示するように、次にＳ２２０へ移行し、子機５０の登録状況、言い換えると、何れの登録用番号が使用されているかを表示パネル１３に表示させる。次に、Ｓ２２１へ移行し、使用する登録用番号をユーザに選択させるためのカーソルを図１０のように表示パネル１３に表示させる。なお、ここでは、未使用の登録用番号については、簡易的に横線で表示させ、これによりさらに子機５０を追加して登録可能であることをユーザが認識できるようになっている。
【００８７】
より具体的には、表示パネル１３において、現在の動作モードを表すモード名である「子機増設モード」を表示させるとともに、その下に、項目名である「登録子機」を表示させる。また、項目名の横に使用済みの登録用番号と、未使用の登録番号に対応した横線を表示させ、さらに使用済みの登録用番号の下にはカーソルとしての横線を表示させる。なお、ユーザは、選択ボタン１４ｅを操作することにより、このカーソルを、数字と横線で表される登録用番号の間で横方向に移動させることができる。例えば、ユーザが右方向の矢印を表す選択ボタン１４ｅを押せば、カーソルは右に１つ移動し、また左方向の矢印を表す選択ボタン１４ｅを押せば、カーソルは左に１つ移動する。
【００８８】
次に、Ｓ２２２にて、ユーザにより操作を中止させる停止ボタン１４ｄが押されたか否かを判定する。停止ボタン１４ｄが押されたと判定すると、そのまま当該増設処理を終了する。一方、Ｓ２２２にて、ユーザにより停止ボタン１４ｄが押されていないと判定すると、次にＳ２２３へ移行する。
【００８９】
Ｓ２２３では、ユーザにより、子機５０の登録解除処理へ移行するための消去ボタン１４ｃが押されたか否かを判定する。消去ボタン１４ｃが押されていないと判定すると、次にＳ２２４へ移行し、カーソルを移動させるための選択ボタン１４ｅが押されたか否かを判定する。選択ボタン１４ｅが押されたと判定すると、次にＳ２２６へ移行し、表示パネル１３において表示されるカーソルの位置を、前述したようなユーザによる選択ボタン１４ｅの操作に基づいて移動させる。
【００９０】
一方、Ｓ２２４にて、ユーザにより選択ボタン１４ｅが押されていないと判定すると、次にＳ２２５へ移行し、ユーザにより、前述したカーソルで指定される登録用番号を子機５０の登録番号として使用することを確定させる確定ボタン１４ｆが押されたか否かを判定する。確定ボタン１４ｆが押されていないと判定すると、再びＳ２２１へ戻る。一方、Ｓ２２５にて、確定ボタン１４ｆが押されたと判定すると、次に、Ｓ２３０へ移行する。
【００９１】
Ｓ２３０では、カーソルの位置、言い換えると、Ｓ２２４及びＳ２２５におけるユーザの操作に基づいて、登録番号として使用する登録用番号を算出する。そして、次にＳ２３１へ移行し、その登録用番号を表示パネル１３に表示させる（図６（ｃ）参照）。
【００９２】
続くＳ２４０では、子機５０に、子機５０を親機１０に対して登録する処理を実行させる命令である登録コマンドを送信する。
次に、Ｓ２４１へ移行するが、Ｓ２４１〜Ｓ２６０の処理は、図５のＳ１４１〜Ｓ１６０の処理と同一のため、説明を省略する。
【００９３】
また、Ｓ２２３にて、ユーザにより消去ボタン１４ｃが押されたと判定すると、次にＳ２７０へ移行し、前述したカーソルの位置に基づいて、登録を解除する登録番号（使用済みの登録用番号）を算出する。そして、次にＳ２７１へ移行し、その登録番号を表示パネル１３に表示させる（図６（ｆ）参照）。
【００９４】
次に、Ｓ２８０では、Ｓ２７０で算出した登録番号を、未使用の登録用番号としてＥＥＰＲＯＭ３４に更新記憶させるとともに、続くＳ２８１にて、登録解除が完了した旨を表示パネル１３に表示させる（図６（ｇ）参照）。その後、再びＳ２１０へ戻る。
【００９５】
なお、本実施形態では、図９の処理のうち、Ｓ２２０及びＳ２５２が請求項９或いは請求項１３の表示制御手段に相当し、Ｓ２２２〜Ｓ２３０が請求項９の選択手段に相当し、Ｓ２２２〜Ｓ２７０が請求項１３の選択手段に相当し、Ｓ２５１が請求項９の親機側登録手段に相当し、Ｓ２８０が請求項１３の削除手段に相当している。
【００９６】
以上説明したように、本実施形態のコードレス親子電話機１では、親機１０は、子機５０を登録する際には、子機５０に割り当てる登録用番号を、表示パネル１３に表示された登録用番号の中からユーザのカーソル操作に基づいて選択する。また、親機１０は、子機５０の登録を解除する際には、解除する子機５０に対応する登録番号を、表示パネル１３に表示された登録番号の中からユーザのカーソル操作に基づいて選択する。
【００９７】
よって、ユーザが子機５０の登録の際に使用済みの登録用番号を入力してしまったり、或いは登録解除の際に未使用の登録用番号を入力してしまったりするというような入力ミスの発生を防止することができる。また、ユーザは自分の好きな番号を選択できるので使い勝手がよい。
【００９８】
また、ユーザは、子機５０の登録の際にあえて使用済みの登録用番号（つまり、登録番号）を入力する（カーソル操作で選択する）ことで、新たに登録しようとする子機５０を既に使用している子機５０と置き換えて登録することが簡単にできる。
【００９９】
また、本実施形態では、親機１０は、登録用番号の使用状況、言い換えると、子機５０の登録状況を表示パネル１３に一覧表示する。よって、ユーザにとっては分かりやすく、使い勝手がよい。
［第３実施例］
次に、第３実施形態のコードレス親子電話機１について説明する。
【０１００】
本第３実施形態では、親機１０のＣＰＵ１０は、図９の増設処理に代えて図１１の増設処理を実行するが、図９におけるＳ２１０〜Ｓ２６０の処理は同一であり、以下異なる部分についてのみ図１１のフローチャートに沿って説明する。
【０１０１】
この増設処理において、Ｓ２２３で、ユーザにより、子機５０の登録解除処理へ移行するための消去ボタン１４ｃが押されたと判定すると、次にＳ３７４へと移行する。
Ｓ３７４では、親機１０に対して登録されている全ての子機５０に対して通信を試みる。
【０１０２】
そして、次に、Ｓ３７５へ移行し、その通信に対して応答しない子機５０があるか否かを判定する。応答しない子機５０がないと判定すると、再びＳ２２０へ戻る。一方、Ｓ３７５にて、応答しない子機５０があると判定すると、次に、Ｓ３７０へ移行する。
【０１０３】
Ｓ３７０では、応答しない子機５０のうち、登録番号が最大である子機５０を登録解除の対象とする。つまり、応答しない子機５０に対応する登録番号（使用済みの登録用番号）のうち、最大の登録番号を登録解除の対象とする。そして、続くＳ３７１にて、その登録番号を表示パネル１３に表示させる（図６（ｆ）参照）。
【０１０４】
次に、Ｓ３７２へ移行し、ユーザにより、操作を中止させる停止ボタン１４ｄが押されたか否かを判定する。停止ボタン１４ｄが押されたと判定すると、再びＳ２２０へ戻る。一方、Ｓ３７２において、ユーザにより停止ボタン１４ｄが押されていないと判定すると、次に、Ｓ３７３へ移行する。
【０１０５】
Ｓ３７３では、ユーザにより、登録解除する登録番号を確定させる確定ボタン１４ｆが押されたか否かを判定する。確定ボタン１４ｆが押されていないと判定すると、再びＳ３７２へ戻る。一方、Ｓ３７３にて、ユーザにより確定ボタン１４ｆが押されたと判定すると、次に、Ｓ３８０へ移行する。
【０１０６】
Ｓ３８０では、登録を解除する登録番号を、未使用の登録用番号としてＥＥＰＲＯＭ３４に更新記憶させるとともに、続くＳ３８１にて、登録解除が完了した旨を表示パネル１３に表示させる（図６（ｇ）参照）。その後、再びＳ２１０へ戻る。
【０１０７】
なお、本実施形態では、図１１の処理のうち、Ｓ３７４及びＳ３７５が請求項７の検出手段に相当し、Ｓ３８０が請求項５の削除手段に相当している。
以上説明したように、本実施形態のコードレス親子電話機１では、親機１０は、子機５０の登録を解除する際には、通信のできない子機５０を検出し、その子機５０を登録解除の対象とする。なお、通信ができない場合として、子機５０の故障等がある。
【０１０８】
よって、本実施形態のコードレス親子電話機１によれば、通信ができない、つまり使用できない子機５０を簡単に登録解除することができるので使い勝手がよい。
以上、本発明の実施形態について説明したが、本発明は、上記実施形態に限定されるものではなく、本発明の技術範囲内にて種々の形態を採ることができる。
【０１０９】
例えば、上記実施形態では、登録用番号を表示パネル１３に表示する際には、数字及び横線で表示して使用済みであるか未使用であるかを識別可能にしていたが、例えば全ての登録用番号を数字で表示し、色や大きさ、或いは項目名等で識別可能な構成としてもよい。
【０１１０】
また、上記実施形態では、親機１０から子機５０に登録コマンドとともに使用する登録用番号を送信し、子機５０側でその登録用番号がダイヤルボタン５４ａ等を介して入力されることで、子機５０側でその登録用番号がその子機５０の登録番号として記憶されるように構成されているが、ダイヤルボタン５４ａ等の各種操作ボタンを介しての入力は登録用番号に限らず、ユーザが任意に定めた情報の入力、例えば親機１０側で入力したキー情報（ダイヤルボタン１４ａ等の各種操作ボタンを介して入力した情報）としてもよい。
【図面の簡単な説明】
【０１１１】
【図１】第１実施形態のコードレス親子電話機１を表す外観図である。
【図２】第１実施形態のコードレス親子電話機１を構成する子機５０及び充電台８０を表す外観図である。
【図３】第１実施形態の親機１０の構成を表すブロック図である。
【図４】第１実施形態の子機５０の構成を表すブロック図である。
【図５】第１実施形態の親機１０のＣＰＵが実行する増設処理を表すフローチャートである。
【図６】第１実施形態の表示パネル１３に表示される表示画像を表す説明図である。
【図７】第１実施形態の子機５０のＣＰＵが実行する増設処理を表すフローチャートである。
【図８】第１実施形態の表示パネル５３に表示される表示画像を表す説明図である。
【図９】第２実施形態の親機１０のＣＰＵが実行する増設処理を表すフローチャートである。
【図１０】第２実施形態の表示パネル１３に表示される表示画像を表す説明図である。
【図１１】第３実施形態の親機１０のＣＰＵが実行する増設処理を表すフローチャートである。
【符号の説明】
【０１１２】
１…コードレス親子電話機、１０…親機、１１…親機本体ケース、１２…ハンドセット、１３…表示パネル、１４ａ…ダイヤルボタン、１４ｂ…再生ボタン、１４ｃ…消去ボタン、１４ｄ…停止ボタン、１４ｅ…選択ボタン、１４ｆ…確定ボタン、１５…アンテナ、１６…スピーカー、２１…送話器、２２…受話器、２４…操作部、２５…無線送受信部、２６…メロディ・音声発生部、２７…読取部、２８…記録部、３０…システムバス、３１…ＣＰＵ、３２…ＲＯＭ、３３…ＲＡＭ、３４…ＥＥＰＲＯＭ、３５…ＭＯＤＥＭ、３６…ＮＣＵ、５０…子機、５１…子機本体ケース、５３…表示パネル、５４ａ…ダイヤルボタン、５４ｂ…外線通話ボタン、５４ｃ…停止ボタン、５４ｄ…選択ボタン、５５…充電用端子、５６…スピーカー、６１…送話器、６２…受話器、６４…操作部、６５…無線送受信部、６６…メロディ・音声発生部、６７…バッテリー、７０…システムバス、７１…ＣＰＵ、７２…ＲＯＭ、７３…ＲＡＭ、７４…ＥＥＰＲＯＭ、７５…充電回路、８０…充電台、８１…充電台本体、８１ａ…載置用凹部、８２…充電用端子、９０…交流電源、１００…電話回線
【図１】
2006211150.tif 000003
【図２】
2006211150.tif 000004
【図３】
2006211150.tif 000005
【図４】
2006211150.tif 000006
【図５】
2006211150.tif 000007
【図６】
2006211150.tif 000008
【図７】
2006211150.tif 000009
【図８】
2006211150.tif 000010
【図９】
2006211150.tif 000011
【図１０】
2006211150.tif 000012
【図１１】
2006211150.tif 000013